(57)【特許請求の範囲】
【請求項１】
フィンガー形状のブレード担体を有する形式のハンドルに取り付け可能とされる、安全メス−ブレードアッセンブリにおいて、
それ自体が公知の方法で形成され、上記ハンドルにおけるブレード担体にブレードを取付け可能としたスロットを有する、メス−ブレードと、上記ブレードの少なくとも切れ刃の周辺に延びるガードであって、当該アッセンブリが上記ハンドルに取付けられる際、上記ガードに上記ブレードをロックしてブレードがヒトに切り傷を負わせることを防止する一方、上記ハンドルにおけるブレード担体に上記ブレードを取付ける際、上記ガードから上記ブレードを離脱させ得るようにしたアタッチメント手段を有する、ガードとにより構成し、上記ガードがその間にブレードが収容されるスペースを画定する２つの対向する側壁を備え、上記側壁の１つは上記側壁に沿いかつ内部に伸長するスロットを備え、上記スロットはガードが所定位置にある間はブレード担体が上記スロットを通過してメス−ブレード内のスロットと噛合することを許容しかつブレードがハンドルに取り付けられている時にブレードからガードを引っ込めることを許容するようにした、ブレードアッセンブリ。
【請求項２】
ガードが実質的にブレードの周囲に延びて囲い板又はスリーブを形成している、請求項１に記載のアッセンブリ。
【請求項３】
ガードが開放前端部を有し、上記ガードから上記開放前端部を介してブレードを延び出し可能とした、請求項２に記載のアッセンブリ。
【請求項４】
伸長スロットが側壁に沿って延び、上記スロットは上記ガードの前端．部と連絡する開放端部を有する、請求項３に記載のアッセンブリ。
【請求項５】
アタッチメント手段がガードにおける突起とされ、該突起は、該ガードからブレードが延び出しかつ切れ刃を露出するのを防止する、第１位置と、上記ブレードが少なくとも一部分が上記ガードから延びるようにした自由位置間を移動可能とした、請求項４に記載のアッセンブリ。
【請求項６】
突起の少なくとも一部分がブレードにおけるスロットの内部に延び、該ブレードが不意にガードから滑り出ること及び切れ刃を露呈することを防止するようにした、請求項５に記載のアッセンブリ。
【請求項７】
突起がブレードの一部分に当り、該突起がバイアス手段を介して上記ブレードに上記突起を偏位させて上記ガードの一方の側壁に上記ブレードを押し付けるようにした、請求項５に記載のアッセンブリ。
【請求項８】
滅菌フォイルに包装された、請求項１に記載のアッセンブリ。
【請求項９】
ガードおよびハンドルがガードをハンドル上の引っ込められた位置に保持するための離脱可能なアタッチメント手段を備えている、請求項１に記載のアッセンブリ。
【請求項１０】
フィンガー形状のブレード担体を有する形式のハンドルと、上記ハンドルにおけるブレード担体にブレードを取付け可能としたスロットを有する、メス−ブレード、及び、上記ブレードにおける切れ刃の少なくとも周辺部に延びるガードであって上記ハンドルに当該アッセンブリを取付ける際、上記ガードに上記ブレードをロックして該ブレードがヒトに切り傷を負わせることを防止する一方、上記ハンドルにおけるブレード担体に上記ブレードを取付ける際、上記ガードから上記ブレードを離脱させるアタッチメント手段を有する、ガードにより形成される、ブレードアッセンブリとにより構成した、ナイフであって、上記ガードがその間にブレードが収容されるスペースを画定する２つの対向する側壁を備え、上記側壁の１つは上記側壁に沿いかつ内部に伸長するスロットを備え、上記スロットはガードが所定位置にある間はブレード担体が上記スロットを通過してメス−ブレード内のスロットと噛合することを許容しかつブレードがハンドルに取り付けられている時にブレードからガードを引っ込めることを許容するようにした、ナイフ。
【請求項１１】
ハンドルにおけるフィンガーがアタッチメント手段の突起を自由位置に移動させるプロフィルを有し、ブレードにフィンガーを取付ける際、ガードからブレードを離脱可能とした、請求項１０に記載のナイフ。
【請求項１２】
ハンドルに、ガードと係合する、案内手段を設けるとともに引込み位置と延び出し位置間でガードを摺動可能とし、上記案内手段がガイドを摺動するハンドルに穴を設けた、請求項１１に記載のナイフ。
【発明の詳細な説明】
【０００１】
（技術分野）
本発明は、不慮の切傷負傷を低減する引込み式ガード付外科用メスに関する。
本発明は外科用メスとして記述されるが、本発明は、操作の安全性を必要とする、あらゆるタイプの切断具を包含するものに係るものと理解すべきである。
【０００２】
（背景技術）
従来、市販されている外科用メス又は外科用ナイフはハンドル及び使い捨てブレード（刃）を有する。このようなブレードはハンドルから取外し可能とされるとともにその後に鋭い傷を負う危険性を少なくした状態で取り扱えるようにした、特別のメス−ブレードアッセンブリに収納して廃棄されるようになっている。
【０００３】
鋭い傷とは、身体の皮膚とかその他の部分の刺し通すと思われる、切リ傷とか刺し傷等であって、血液とかその他の潜在感染性物質への職業暴露を含む、暴露事故となるようなものをいう。
【０００４】
一般に、使い捨てブレードを具備する市販のメスは再利用可能なハンドルを有する。このようなハンドルはオートクレーブによって滅菌されて再利用可能とされ、この種のハンドルは、一般に、金属材により形成される。外科用メスは保護フォイル（箔）にて包装される。該フォイルは慎重に開放されてブレードが露出される。次に、上記ブレードは親指と他の指間に摘み、慎重にハンドルにおけるフィンガー部の突出部に取付けられる。手術完了時、ブレードは、手動でハンドルから取外してシャープビン（ｓｈａｒｐｓ ｂｉｎ）に入れられるか、それともブレード付ハンドルがブレードを折り取るメス−ブレードアッセンブリ内に挿入される。
【０００５】
ハンドルへのブレードの取付けは厄介な作業であり、鋭い傷を負い易いことが明らかである。ブレードが手動で取外されるのであれば、鋭い傷を負うこととなり厄介であるばかりか、ブレードが汚染されることとなる。
【０００６】
手術使用時、手術場で術者の指とか、看護婦、その他の補助者の指を不慮に切りつける危険性がある。また、当該メスが人々の間で受け渡しされる際にも、術者等が不慮に切傷を負う危険性がある。
【０００７】
上記メスの取扱中に不慮の切傷を部分的に緩和するために、引込み式ブレードガードを設けることが知られている。該ブレードガードはハンドルに取付けられ、手動で伸長ブレードガード位置と引込みブレード露出位置とに押込まれる。このようにして、メスのハンドルに取付けられたブレードガードが知られている。
【０００８】
上記ブレードガードは幾つかの欠点を有する。第１に、ハンドルの一部分であることから、当該ハンドルを再利用しようとする場合、使用後、該ハンドルからあらゆる血液とか組織を完全に清浄化しなければならない。ブレードガードは、当該ブレードガードにおける種々の隠れ場所とか凹所に、組織、凝固血液等を捕獲して包含し、ブレードガードを完全無垢に清浄して該ブレードガードを取付けたハンドルの再利用を確保することは極めて難しい。上記ハンドルを再利用可能とするには、多大な時間を要し、上記ブレードガードは全く強靭なものとしなければならず、当該ガードの構造が全く複雑であり、製作が厄介で大形かつ高価である。
【０００９】
上記配列による第２の欠点は、ブレードガードがハンドルへの無菌ブレードの最初の取付けに対し保護することができないことである。即ち、上記ブレードガードは完全に引込み、当該ブレードを取付けようとするハンドルに突起又はフィンガーを露出させなければならない。上記ブレードは、まず、その保護フォイルを取除き、次いで、該ブレードをハンドルに機械的に取付けることによる通常の方法で取付けなければならない。したがって、現存のブレードガードは、最初のブレード取付けにおける鋭い傷の負傷が低減又は回避しない。また、このようなガードはハンドルからブレードの離脱に対し防護しない。
【００１０】
（発明が解決しようとする技術的課題）
本発明はブレードガードに取付けられたブレードを含むアッセンブリを提供することにある。このアッセンブリは、（従来形式のブレードと同様に）滅菌フォイル内に包装可能とされる。このアッセンブリは、ヒトに切傷を負わす危険性が低くて安全な取扱が可能とされ、このアッセンブリはメスのハンドルにおける所定位置にブレードガードを取付けることが可能とされる。アッセンブリがメスのハンドルに取り付けられる際、ブレードガードは完全に又は部分的に引込まれてブレードが露出される。手術が完了すると、ブレードガードがブレード上で押し戻され、該ブレード及びブレードガードがハンドルから取外されて安全に廃棄可能とされる。この配列において、使用後、当該ガードがブレードと一緒に廃棄される際、ハンドル自体はブレードガードを保持しない。
【００１１】
上記配列により、ハンドルにブレードを取付けるにあたり、鋭い傷を負わせる危険性が低減される。また、ハンドルはガードを保持せず、このことは、ハンドルが再利用のためにより簡単に清浄しかつ滅菌し得ることを意味する。ブレードが取外される際、ガードは該ブレードと一緒にされたままとされ、これによりハンドルから上記ブレードを取外す際、不慮の鋭い傷を負う事故が低減される。
【００１２】
本発明の目的は、上述した種々の欠点の少なくとも一部を克服した、メス−ブレードアッセンブリ及びメス、即ち、公衆に有用性又は商業的選択を提供することを目的とするものである。
【００１３】
一例において、本発明は、メス−ブレード、上記メス−ブレードにおける少なくとも切れ刃の周辺に延びる、ガード及び上記ガードに着脱可能に上記ブレードを取付ける、着脱アタッチメント手段であって、上記着脱アタッチメント手段は、上記ブレードが上記ガードに対し該ガードにより切れ刃が保護されるように保持されたロック位置と、上記ブレードが上記ガードから離脱して摺動可能とした自由位置間で作用可能とされる。
【００１４】
別の形式のものにおいて、本発明は、フィンガー形状のブレード担体を有する形式のハンドルに取り付け可能とされる、安全メス−ブレードアッセンブリであって、それ自体が公知の方法で形成され、上記ハンドルにおけるブレード担体にブレードを取付け可能としたスロットを有する、メス−ブレードと、上記ブレードの少なくとも切れ刃の周辺に延びるガードであって、当該アッセンブリが上記ハンドルに取付けられる際、上記ガードに上記ブレードをロックしてブレードがヒトに切り傷を負わせることを防止する一方、上記ハンドルにおけるブレード担体に上記ブレードを取付ける際、上記上記ガードから上記ブレードを離脱させるようにしたアタッチメント手段を有する、ガードとにより構成される。
【００１５】
更に別の形式のものにおいて、本発明は、メス−ブレードアッセンブリとハンドルとにより形成される、メスであって：
上記メス−ブレードアッセンブリは、メス−ブレードと、当該ブレードにおける少なくとも切れ刃の周辺に延びる、ガードと、上記ガードに上記ブレードを着脱可能に取付けるアタッチメント手段であって、上記ガードに対し上記ブレードの切れ刃を保護するように該ブレードを保持する、ロック位置と、上記ブレードが上記ガードから滑り出る、自由位置との間で操作可能とされる、アタッチメント手段とにより形成され、
上記ハンドルは、上記ブレードに着脱自在にロック可能とされた部分を有するとともに、更に、上記ガードと係合する案内手段であって、上記ブレードに取付けられた際、当該ハンドルにおける上記案内手段に沿って上記ブレードの切れ刃の少なくとも一部分を露出させる、引込み位置と、上記ブレードの切れ刃を保護する、露出位置間で上記ガードを摺動可能とした案内手段を有し、
上記メスは、更に、上記ハンドルが上記ブレードに取付けられる際、取付け手段を自由位置に移動させる手段を有するものとされる。
【００１６】
上記メス−ブレードアッセンブリは、最初からブレードガードに取付けられたメス−ブレードを有する。このアッセンブリは、滅菌フォイルに包装され、該フォイルは解放されて安全にブレード及びブレードガードを取出すことができる。次に、このアッセンブリはメス−ハンドルに取付けられ、次いで上記ガードが引込まれてメス−ブレードが露出させられる。
【００１７】
上記メス−ブレードは実施しようとする手術に応じて種々の形態のものとすることができる。一般に、ブレードは長尺とされかつ前切れ刃を有するものとされる。ブレード本体に、その全長にわたって延びる、伸長スロットが設けられ、該スロットは、ハンドルにおける突起又はフィンガーにブレードを取付け可能とする。この配列は全く公知のものである。本発明は、ブレードをハンドルに取付け可能とされるだけでなく、その安全操作性が要求される、手術器具を提供するものである。
【００１８】
上記ガードは、少なくともブレードの切れ刃の周辺に延びて鋭い負傷を防護するものとされる。このガードは、プラスチック材料により形成されるが、その他の材料を用いて形成することもできる。使用後、ブレードアッセンブリは廃棄されることから、好ましくは、上記ガードは、適当に安価であるものの、使用に適しかつ滅菌可能な材料を用いて形成される。
【００１９】
上記ガードは、実質的にブレードの周囲に延びて囲い板又はスリーブを形成する。ガードの前端部（即ち、ブレードの前端部が存在する端部）は開放されるか又は当該ガードからブレードを延出可能とする通路を有するものとされる。ハンドルにブレード／ガードアッセンブリを取付け容易とするために。ガードに開口又はスロットを設け、該開口又はスロットにより、ガードを所定位置としたまま、ブレードにハンドルを取付け可能とされるとともに、ハンドルにブレードを取付ける際、ブレードからガードを引込み可能とされる。
【００２０】
上記アッセンブリは着脱可能なアタッチメント手段を有する。この着脱可能アタッチメント手段は最初からガードにブレードを取付け、当該ブレード／ガードアッセンブリが保護包装から取出されるとき、ブレードがガードから不意に脱落し即ち切れ刃を露出しないようにされる。また、アタッチメント手段は、廃棄するためにブレードを取外す際、ガードにブレードを保持するように機能する。これは、一例として、ブレード本体に設けたスロット（ブレードにハンドルを取付けるようにしたスロット）の内部に突入するように、ガードに設けられた突起又はボタンにより実行可能とされる。この突起又はボタンは、ブレードがガードから不用意に滑り出て切れ刃を露出することを防止する。
【００２１】
所望であれば、ガードに、更に、ブレードにおけるスロットの内部に延びる、突起又はフィンを設け、ガードにおいてブレードが“ガタガタ鳴る”又はガードの内部で望ましくない動きをするのを防止するように機能させることができる。
【００２２】
ブレードアッセンブリは、メス又はナイフ−ブレードに取付け可能とされる。このナイフ-ハンドルは、ブレードにおけるスロットに着脱可能にロックできるようにしたプロファイル（外形）を有する、前突起又はフィンガーを具備するようにしてもよい。この配列は、当該技術において公知である。ブレードにハンドルが取付けられる際、該ハンドルに、ガードからブレードを離脱させる手段を設けるようにしてもよい。一例において、ハンドルにおける突起又はフィンガーは、ブレードに取付けられる際、ガードからブレードを離脱させ、該ガードを引込ませてブレードを露出させるようにした、プロファイル（外形）を有するようにすることができる。
【００２３】
上記ハンドルに、ガードと係合しかつ該ガードを延出し及び引込み位置間で摺動可能とする、案内手段を設けるようにしてもよい。この案内手段は、ガイドが摺動する、ハンドルにおける凹所又は穴を形成したものであってもよい。
【００２４】
上記ガードは、ブレードから引込ませて該ブレードを種々の長さをもって露出させる。例えば、種々の引込み位置にガードをロック又は保持してブレードを種々の長さをもって露出させる手段を設けることができる。これは、ブレードの切削深さを調節可能とし、ブレードは確実に所要量のみが露出させられ、該ブレードの残部は依然としてガードにより保護するようにして、不慮の負傷の危険性が最小限のものとされる。
【００２５】
（本発明の最良の実施例）
本発明を、幾つかの実施例を示す添付図面とともに説明する。
【００２６】
図１及び図７を参照して、３つの主要構成部分である、メス−ブレード１０、ブレードガード１１及びメス-ハンドル１２から構成されるメスの２つの実施例が説明される。ブレード１０は公知の形式のものであり、市場において広範に利用されている。上記ブレードは、ステンレススチールにより形成されたものであって前切れ刃を有し、これもまた公知の伸長プロファイルスロット１３を設けてある。ハンドル１２は前方に延びる突起又はフィンガー１４を有し、該フィンガーはプロファイルされてイルとともに対向する横穴又は側溝１５（片側の側溝のみを図示する）を有する。ブレード１０は、上記両側溝１５に沿って摺動するスロット１３の内縁部を介してフィンガー１４に取付けられる。これもまた、当該技術分野において公知のものである。
【００２７】
図１は、ブレード１０を取付ける際、該ブレード１０の切れ刃を被覆又は保護するガード１１を示す。即ち、ブレード１０はガード１１における所定位置に取付けられ、ブレード１０がフィンガー１４に取付けられる際、いかなるときも、当該ブレードの切れ刃がヒトの手に触れないようにされる。
【００２８】
図２及び図８は、２つのメス−ブレードアッセンブリの実施例を示し、これらのアッセンブリは、ブレード１０とガード１１とから成り、該ブレード１０全体が上記ガード１１の内部に存在する状態とされる。図２及び図８におけるガード１１は、当該図２及び図８が図１及び図７におけるガードの反転図を示すことを除いて、該図１及び図７におけるガード１１と同様のものとされる。
【００２９】
ガード１１は、比較的安価で、、好ましくは、ブレードがガードを透かして見られるように透明又は半透明なプラスチック材料を用いて形成される。このガードは上記ブレードを実質的に包囲して囲い板又はスリーブを形成している。上記ガードの前部１６は開放され、当該ガードが引込まれてブレード１０を露出するようにされている。ガード１１の片面に伸長スロット１７が設けられ、スロット１７は、該ガードの前端部１６から該ガードの後端壁部１８に至る、該ガードの片側壁部の全長に沿って延びている。このスロット１７の機能は、フィンガー１４にブレード１０を取付ける際、該ガードの引込みが妨害されないようにすることにある。
【００３０】
ガード１１は、ブレード／ガードアッセンブリがメス-ハンドル１２に取付けられる迄、ガード１１内にブレード１０を保持するようにした着脱可能なアタッチメント手段を有する（図２及び図８参照）。図２の実施例において、着脱可能なアタッチメント手段は、図５Ｃに示されるように、突起又はボタンの形態とされる。ボタン１９は、平坦状フィンガー２０の一端部に設けられている（図１参照）。フィンガー２０はガード１１の残りの部分と一体的に形成され、その指状本体部を介して押圧可能とされる。
【００３１】
保護起立壁部２１がフィンガー２０の周囲に延びる一方、該フィンガー２０は該壁部２１と接触せず、これは、フィンガー２０が上記壁部２１の領域内にピボット運動又は押圧可能とされていることを意味する。壁部２１は、思いがけない運動、即ち、損傷に対し、とりわけ、小形フィンガーを保護する機能を有する。
【００３２】
図７及び図８の実施例において、起立壁部は図示されていない。突起５０（図１２参照）はフィンガー２０から傾斜して延びる壁部５１を有する。
【００３３】
使用にあたり、図２及び図８に示されるように、メス−ブレードアッセンブリが組立てられ、公知のメス−ブレードと同様の方法によりフォイルパッケージの内部に配置される。このアッセンブリはフォイルパッケージから取出され、図２及び図８に示されるように、ボタン１９、５０はガード１１の内部にブレードを保持し、したがって、当該アッセンブリはガード１１を介してピックアップ可能とされ、該ブレードが刺傷を創成する危険性が少なく又は無いようにされる。
【００３４】
上記メス−ブレードアッセンブリはフィンガー１４に載置された後、該フィンガー１４がスロット１３の内部に挿入され、フィンガー１４に当該ブレードが接触させられる。フィンガー１４は、スロット１３の内部に延びるようにされた際、フィンガー２０の偏りに抗してボタン１９、５０を押し退けるような形態に形成される。これは、順次、そｐのハウジング１１からブレード１０をリリースする。ブレード１０がフィンガー１４に取付けられている限り、フィンガー１４のプロフィルはボタン１９、５０をスロット１３の内部に入らせないようにし、したがって、ボタン１９、５０が当該ブレードと再び係合しないようにする。ブレード及びガードのアッセンブリが取外されると、ます、該ガードが前方位置に押圧され、該位置において、ガードはブレードを被覆し、次いで、該ブレードがフィンガー１４から取外される。この状態にされるや否や、ボタン１９、５０が離脱されかつフィンガー２０のばね力により、再び、スロット１３の内部に入り込み、上記ガードの内部に該ブレードを保持する。このブレード及びガードアッセンブリは、刺し傷を負わせる危険性を小さくし又は無くしてシャープ−ビン（sharps bin）内に安全に廃棄可能とされる。
【００３５】
フィンガー２０は、スロット１３の内部に押圧ボタン１９、５０を偏移させられる。図２において、ボタン１９は大形肩部２２から延びている（図５Ｂ及び図５Ｃに詳細に図示される）。肩部２２は、スロット１３の内部に長目に延びるようにされる反面、ブレードの一面に当てられる。フィンガー２０を偏移させることにより、カタブ２２は、漸次、ガード１１の片側壁面部にブレードを押し当てるように作用し、該ブレードがガタガタ鳴るとか思いがけなく移動することを防止する。ボタン１９は、ブレード１０がガード１１の内部に在るとき（図２参照）、当該ボタンがスロット１３の後端部に隣接する位置に設けられる。これにより、ブレードがガードから更に離間する個とが防止される。ガード１１の後端部１８を、前端部１６と同様、開放しないことにより、ブレードの他の方向に移動するのが防止される。このようにして、上記アッセンブリがフィンガー１４と接触させられて該フィンガー１４が次第にボタン１９を押圧してスロット１３との係合を解除する時点迄、ブレード１０の全体がハウジング１１の内部に捕捉される。図８、図１２及び図１３において、ボタン５０は、図２における肩部２２と同様に作用するようにした対向肩部５２を有する。
【００３６】
ハンドル１２は案内手段２３を有し、該案内手段２３はハンドル１２の前方部であってフィンガー１４の直ぐ背後に凹所２４の形態をもって形成される。該凹所は十分に長いものとされ、ガード１１が引戻されてブレード１０を十分に露出可能とされる。この完全引込ブレードの露出位置が図３及び図９に図示される。ハンドル１２における案内手段の一部を形成する凹所２４はガード１１の外形を受け入れる形状とされる。凹所２４は、ガード１１の両側壁部を案内する、対向側壁部２５を有する。
【００３７】
ガード１１は各側壁部から延びる幾つかの小さい突起又はボタン２７を有し、凹所２４の両側壁部は対応する穴２８を有する。ボタン２７及び穴２８は、凹所２４に沿ってガード１１を引込むとともに、対向する各対のボタン２７が対向する各対の穴２８にカチッと鳴って現在位置に着脱可能にロックされるように作用する。この着脱可能なロック配列は、術者の親指がガードを摺動させて該ガードの案内手段との係合を解除可能とする。一方、術者の親指がガード１１上にないときには、上記ガードは所定位置に十分に保持されて偶発的に緩まないようにされる。この配列は、もし、切断ブレードの小さな部分のみが必要とされる場合であっても、ガードは唯一の一部引込み位置にカチッと合わされ、これにより依然としてブレードの切り刃の残りの部分による刺し傷に対する保護が行なわれる。また、ガードは所要の切り刃長さのみを露出させて切れの深さを設定する手段を提供する。
【００３８】
ガードは親指係合突起３０を有し、術者は上記突起３０を介してガードを握り、１タッチ操作で該ガードの引伸ばし又は引込み操作を行うことができる。起立壁部２１は術者の親指が思いがけずフィンガー２０を押圧することを防止する。
【００３９】
図５Ａ〜図５Ｃ及び図１１〜図１３はガードの変形例を示す。これらの変形例において、ガードはブレード１０のスロット１３に着座させて加えられたフィン３１を有し、該フィン３１はブレードの芯だしを維持するように機能する。また、フィンガー２０にもフィン３１が取付けられ、メス-ハンドルにブレードを取付ける際、押し出されるようになっている。
【００４０】
図６Ａ及び図６Ｂは、射出成形により形成されたブレードガード３５を示し、該ブレードガード３５は、２つの半割体３６、３７が蝶番ライン３８を介して連結されて形成される。このガードは、図６Ａに示すように、平坦状に成形される。ブレード３９（図６Ｂ参照）は一方の半割体３７に装着され、他方の半割体３６が蝶番ライン３８を介して上記一方の半割体３７に折り重ね合わされる。両半割体は、一方の半割体に設けた突起を他方の半割体に設けた穴４１にスナップ止めして結合される。
【００４１】
上記本発明の実施例は、請求の範囲に記載されたように、本発明の精神及び範囲から逸脱することなく種々に変形できるものと解釈しなければならない。
【図面の簡単な説明】
【図１】  本発明のメスの分解図であって、メス−ブレード、ブレードガード及びメス−ハンドルを示す分解斜視図である。
【図２】  最初からガード内に保持されたブレードを具備したメス−ブレードアッセンブリを示す。
【図３】  引込み位置においてブレードを露出する、ガードを介してハンドルに取付けられたブレードを示す。
【図４】  図１に示されたブレードガードの拡大図である。
【図５】  ５Ａ〜５Ｃは、それぞれ、本発明のもう１つの実施例におけるブレードガードの表面図、裏面図及び側面図である。
【図６】  ６Ａ及び６Ｂは、共に、成形されたブレードガードを示す。
【図７】  本発明の第２実施例のメスを示す。
【図８】  上記第２実施例のメスの組立図を示す。
【図９】  図７のメスの組立図を示す。
【図１０】  図７のメスにおけるガードを示す。
【図１１】  図１０のメスの表面図である。
【図１２】  図１０のメスの裏面図である。
【図１３】  図１０のメスの側面図である。
【符号の説明】
１０  メス−ブレード
１２  ブレードガード
１３  伸長プロフィルスロット
１４  フィンガー又は突起
１５  側溝又は側穴
１６  ガードの前部
１７  伸長スロット
１８  後端壁部
２０  フィンガー
２２  肩部
２３  案内手段
３５  ブレードガード
３８  蝶番ライン
５０  押しボタン（バイアスボタン）
【図１】
0004202644.tif 000002
【図２】
0004202644.tif 000003
【図３】
0004202644.tif 000004
【図４】
0004202644.tif 000005
【図５Ａ】
0004202644.tif 000006
【図５Ｂ】
0004202644.tif 000007
【図５Ｃ】
0004202644.tif 000008
【図６Ａ】
0004202644.tif 000009
【図６Ｂ】
0004202644.tif 000010
【図７】
0004202644.tif 000011
【図８】
0004202644.tif 000012
【図９】
0004202644.tif 000013
【図１０】
0004202644.tif 000014
【図１１】
0004202644.tif 000015
【図１２】
0004202644.tif 000016
【図１３】
0004202644.tif 000017